(57)【要約】【課題】活線工事において、幅広い形状の対象物を挟持することができ、柔軟な取り付けや撤去作業が可能な間接活線工事用クリップを提供すること。【解決手段】間接活線工具９を用いて操作できるとともに、電線Ｗ又は電線Ｗを覆う絶縁シートＳを挟持可能な間接活線工事用クリップ１は、向かい合う一対のクリップ部２と、一対のクリップ部２を開閉可能に操作するように間接活線工具９により把持される把持部１２と、を備え、一対のクリップ部２は、向かい合う面にそれぞれ設けられる一対の円盤部３０を有し、把持部１２の操作により、一対の円盤部３０が開閉される。【選択図】図１
2018011472.tif 000002
【特許請求の範囲】
【請求項１】
間接活線工具を用いて操作できるとともに、電線又は電線を覆う絶縁シートを挟持可能な間接活線工事用クリップであって、
向かい合う一対のクリップ部と、
前記一対のクリップ部を開閉可能に操作するように前記間接活線工具により把持される把持部と、を備え、
前記一対のクリップ部は、向かい合う面にそれぞれ設けられる一対の円盤部を有し、前記把持部の操作により、前記一対の円盤部が開閉される、間接活線工事用クリップ。
【請求項２】
前記クリップ部は、前記把持部から連続して先端側へ延びるクリップ本体部を有し、
前記円盤部は、前記クリップ本体部に対して回転可能に連結される、請求項１に記載の間接活線工事用クリップ。
【請求項３】
前記一対のクリップ本体部は、その向かい合う内側面における先端側及び基端側に、それぞれ突出する先端側突起部及び基端側突起部を有し
前記円盤部は、該円盤部の中心に配置されて前記先端側突起部が係合し、該先端側突起部とともに前記円盤部の回転の支点を構成する中心穴と、前記円盤部における外側面の周縁に沿って形成され、前記基端側突起部が係合してスライド移動するガイド溝と、を有する請求項２に記載の間接活線工事用クリップ。
【発明の詳細な説明】
【技術分野】
【０００１】
本発明は、間接活線工事用クリップに関する。
【背景技術】
【０００２】
従来、高圧配電線路の活線工事では、絶縁ヤットコ等の間接活線工具で、間接活線工事用クリップを把持し、把持された間接活線工事用クリップで高所の作業を行うことが知られている。具体的には、作業員は、手元で間接活線工具を操作することにより、間接活線工具の先端に取り付けた間接活線工事用クリップで電線や絶縁シート等を固定したり動かしたりする。（例えば、特許文献１参照）。
【０００３】
特許文献１には、間接活線工具で任意の方向から間接活線工事用クリップを把持することができるようにするため、間接活線工事用クリップの把持部を円形にした間接活線工事用クリップが提案されている。
【先行技術文献】
【特許文献】
【０００４】
【特許文献１】特開２０１１−８９６２９号公報
【発明の概要】
【発明が解決しようとする課題】
【０００５】
しかし、上記の間接活線工事用クリップでは、電線等を挟持する先端側が、帯板状の形状をしており、電線を一時的に挟持する場合や固定しておく際に、挟持する面が小さい。このため、活線工事で挟持又は固定が必要な範囲が長かったり広かったりする場合、複数の間接活線工事用クリップを取り付ける必要があった。また、先端側が帯板状の間接活線工事用クリップでは、絶縁シート等の面を挟持することが難しい場合もあった。さらに、間接活線工事用クリップの先端側の面積が小さいと挟持する力が不足する場合があるが、落下を防止するために強い力で挟持できるようにすることが望まれている。
【０００６】
活線工事において、幅広い形状の対象物を挟持することができ、柔軟な取り付けや撤去作業が可能な間接活線工事用クリップを提供することが求められている。
【課題を解決するための手段】
【０００７】
（１）  本発明は、間接活線工具を用いて操作できるとともに、電線又は電線を覆う絶縁シートを挟持可能な間接活線工事用クリップであって、向かい合う一対のクリップ部と、前記一対のクリップ部を開閉可能に操作するように前記間接活線工具により把持される把持部と、を備え、前記一対のクリップ部は、向かい合う面にそれぞれ設けられる一対の円盤部を有し、前記把持部の操作により、前記一対の円盤部が開閉される、間接活線工事用クリップである。
【０００８】
（２）  前記クリップ部は、前記把持部から連続して先端側へ延びるクリップ本体部を有し、前記円盤部は、前記クリップ本体部に対して回転可能に連結されることが好ましい。
【０００９】
（３）  前記一対のクリップ本体部は、その向かい合う内側面における先端側及び基端側に、それぞれ突出する先端側突起部及び基端側突起部を有し、前記円盤部は、該円盤部の中心に配置されて前記先端側突起部が係合し、該先端側突起部とともに前記円盤部の回転の支点を構成する中心穴と、前記円盤部における外側面の周縁に沿って形成され、前記基端側突起部が係合してスライド移動するガイド溝と、を有することが好ましい。
【発明の効果】
【００１０】
本発明によれば、活線工事において、幅広い形状の対象物を挟持することができ、柔軟な取り付けや撤去作業が可能な間接活線工事用クリップを提供することができる。
【図面の簡単な説明】
【００１１】
【図１】本実施形態の間接活線工事用クリップを示す斜視図である。
【図２】本実施形態の間接活線工事用クリップを示す正面図である。
【図３】本実施形態の間接活線工事用クリップを示す側面図である。
【図４】本実施形態の間接活線工事用クリップの側面における分解断面図である。
【図５】本実施形態の間接活線工事用クリップの使用の状態を示す図である。
【図６】本実施形態の間接活線工事用クリップを挟持する間接活線工具を示す部分側面図である。
【図７】本実施形態の間接活線工事用クリップの使用の状態を示す図である。
【図８】本実施形態の間接活線工事用クリップの使用の状態を示す図である。
【図９】本実施形態の間接活線工事用クリップの使用の状態を示す図である。
【発明を実施するための形態】
【００１２】
以下、本発明の実施形態について図面を参照しながら説明する。
図１は、本実施形態の間接活線工事用クリップ１を示す斜視図であり、図２は、正面図であり、図３は、側面図である。図１〜３に示すように、間接活線工事用クリップ１は、向かい合う一対の板状の開閉部材１０と、円盤状の円盤部３０と、により構成されている。また、間接活線工事用クリップ１は、把持部１２と、連結部１４と、クリップ部２０と、を有する。
【００１３】
一対の板状の開閉部材１０は、間接活線工事用クリップ１の開閉操作を可能にする部材であり、縦に長い帯板状の板材が向い合せに接続されている。一対の板状の開閉部材１０は、例えばプラスチックや木等の所定の剛性を有する素材で構成される。一対の板状の開閉部材１０は、クリップ本体部１１と、把持部１２と、連結部１４とを有する。
【００１４】
把持部１２は、間接活線工具９で把持して操作される部分であり、板状の開閉部材１０の基端部に位置する。把持部１２は、一対の開閉部材１０の板材の内部に捩じりコイルばね（図示せず）を内装している。把持部は、自然状態では一対の開閉部材１０の基端部が離間するように付勢され、把持部１２を間接活線工具９で把持することで、離間した板材が当接するように形成されている。把持部１２は、その表面に網目状のすべり止め加工１２ａがなされている。
【００１５】
連結部１４は、板状の開閉部材１０を連結する部分である。連結部１４は、連結ピン１４１と、バンド部材１４２と、を有する。
連結ピン１４１は、板状の開閉部材１０の長手方向における中央よりも基端部寄りに配置される。連結ピン１４１は、一対の板状の開閉部材１０の幅方向に貫通して、一対の板状の開閉部材１０を接続している。
バンド部材１４２は、板状の開閉部材１０の連結ピン１４１により連結された部分の外側を覆うゴムバンドである。
【００１６】
クリップ部２は、板状の開閉部材１０の先端部側に配置され、電線Ｗや絶縁シートＳ等を挟持する部分である。クリップ部２は、クリップ本体部１１と、円盤部３０と、を有する。
【００１７】
クリップ本体部１１は、向かい合う一対の板状の開閉部材１０における把持部１２及び連結部１４から先端側に延びる部分である。クリップ本体部１１は、把持部１２を間接活線工具９で把持することで、把持部１２から連続する一対の開閉部材１０の板材の先端側が開き、離間する。
【００１８】
クリップ本体部１１は、図３に示すように、向かい合う開閉部材１０の内面が、側面視Ｌ字状にえぐれており、内側面は互いに当接していない。クリップ本体部１１は、クリップ本体部１１の連結部１４側では、把持部１２と同じ厚さを有しており、外側面は連結部１４から先端部に向けて直線的に延びる。一方、クリップ本体部１１の内側面は、側面視で、連結部１４からやや離間した位置で外側面の方へ屈曲し、そこから先端部へ向けて厚さが薄くなったまま外表面と平行に延びる。
【００１９】
図４は、間接活線工事用クリップ１の側面における分解断面図である。
クリップ本体部１１は、図４に示すように、一対の先端側突起部１１１と、基端側突起部１１２と、を有する。一対の先端側突起部１１１は、クリップ本体部１１の内側面の先端部側に配置され、互いに向き合って、対向する相手側に突出するように形成されている。一対の基端側突起部１１２は、クリップ本体部１１の内側面の連結部１４側に配置され、互いに向き合って内面側に突出するように形成されている。
【００２０】
円盤部３０は、クリップ本体部１１の向かい合う内側面にそれぞれ設けられる。円盤部３０は、クリップ本体部１１に対して回転可能に連稀有されて、電線Ｗや絶縁シートＳ等を直接挟持する円形板状の部材である。円盤部３０は、硬質部３１と、軟質部３２と、を有する。
【００２１】
硬質部３１は、図１、図２及び図４に示すように円盤形状を有し、中心穴３１３と、ガイド溝３１４と、を有する。硬質部３１は、例えばプラスチック等の所定の剛性を有する素材で構成され、好ましくは一対の板状の開閉部材１０と同じ素材で構成される。
中心穴３１３は、硬質部３１の中心に穿たれる円形の穴である。中心穴３１３は、硬質部３１を貫通している。
ガイド溝３１４は、円盤部３０の外側面に、外周縁から内側に離間した位置で周縁に沿って形成される。ガイド溝３１４は、硬質部３１を貫通するスリット状の溝である。
中心穴３１３からガイド溝３４までの距離は、クリップ本体部１１における基端側突起部１１２及び先端側突起部１１１の間の距離に対応している。
【００２２】
軟質部３２は、硬質部３１と同径同大の円盤形状を有する。軟質部３２は、ゴムやウレタンフォーム等のクッション性を有する素材で構成され、硬質部３１の内側面に接着剤等で貼付される。図４に示すように、軟質部３２は平坦な面を有し、穴や溝等は設けられていない。
【００２３】
図５は、間接活線工事用クリップ１の使用の状態を示す図であり、特に、硬質部３１の中心穴３１３が、クリップ本体部１１の先端側突起部１１１に係合し、ガイド溝３１４が基端側突起部１１２に係合した状態を示す。図５に示すように、基端側突起部１１２がガイド溝３１４に係合して、ガイド溝３１４内をスライド移動することで、中心穴３１３及び先端側突起部１１１を支点として円盤部３０が回転する。
【００２４】
次に、図６〜図９を参照して、間接活線工事用クリップ１の使用の状態を説明する。
図６は、間接活線工事用クリップ１を挟持する間接活線工具９を示す部分側面図である。図６に示すように、間接活線工事用クリップ１は、把持部１２を間接活線工具９となる絶縁操作棒８０（いわゆる、絶縁ヤットコ）で把持される。
絶縁操作棒８０は、長尺の主操作棒８１と補助操作棒８２を備えている。補助操作棒８２は、主操作棒８１に併設されている。主操作棒８１の先端部には、円弧状の固定アーム８１ａを取り付けている。固定アーム８１ａには、円弧状の可動アーム８２ａが回動可能に連結している。
【００２５】
可動アーム８２ａには、補助操作棒８２の先端部が連結している。主操作棒８１の手許部に設けた操作レバー（図示せず）を操作すると、主操作棒８１に対して、補助操作棒８２を進退できる。補助操作棒８２を一方の方向に移動すると、固定アーム８１ａの先端部８１１に対して、可動アーム８２ａの先端部８２１を開くことができる。補助操作棒８２を他方の方向に移動すると、固定アーム８１ａの先端部８１１に対して、可動アーム８２ａの先端部８２１を閉じることができる。
【００２６】
間接活線工事用クリップ１を絶縁操作棒８０に取り付ける場合は、固定アーム８１ａの先端部８１１に対して、可動アーム８２ａの先端部８２１を閉じて、一対の把持部１２を外側から挟む（図６、図３の状態）。
【００２７】
図６に示された状態から、固定アーム８１ａの先端部８１１に対して、可動アーム８２ａの先端部８２１をさらに閉じると、一対の把持部１２を閉じると同時に、把持部１２から連続する一対のクリップ本体部１１を開くことができる（図１の状態）。そして、一対のクリップ本体部１１が開いた状態を維持しながら、電線Ｗに向かって間接活線工事用クリップ１を移動し、主操作棒８１の手許部に設けた操作レバー（図示せず）を操作して、可動アーム８２ａの先端部８２１を閉じる力を緩める。すると、捩じりコイルばね（図示せず）により向かい合う板材が離間するように付勢されていた把持部１２が開き、一対のクリップ本体部１１が閉じられる。この操作により、クリップ本体部１１の内側の円盤部３０が開閉され、円盤部３０により電線Ｗ又は電線Ｗを覆う絶縁シートＳを挟持できる。
【００２８】
図７は、２本の電線Ｗを間接活線工事用クリップ１で挟持した状態を示す。図７のように、複数の電線Ｗを挟持する場合や、その電線Ｗに何らかの物体が取り付けられている場合等であっても、本実施形態の間接活線工事用クリップ１には円盤部３０が設けられているので、安定して複数の電線Ｗを挟持することができる。また、電線Ｗに取り付けた物体が重いために電線Ｗが撓んでも、間接活線工事用クリップ１は、これを支持することができる。
【００２９】
図８は、電線Ｗに絶縁シートＳが設けられており、間接活線工事用クリップ１で絶縁シートＳを挟持した状態を示す。挟持する対象が絶縁シートＳのように一定の広がりをもった面積を有するものであっても、本実施形態の間接活線工事用クリップ１には円盤部３０が設けられているので、安定して絶縁シートＳを挟持することができる。
【００３０】
図９は、間接活線工事用クリップ１を把持する方向が自由に変更できることを模式的に示す図である。高所での作業の場合、作業者の位置を自由に変えることが難しいため、場合によっては、電線Ｗの延びる方向と、クリップ本体部１１の延びる方向とが同じ方向に重なる場合がある。この場合、把持する力を間接活線工具９（例えば絶縁操作棒８０のレバー）に込めることが難しく、電線Ｗが邪魔をするので、間接活線工具９で把持部１２を把持しにくい。しかし、図９に示すように、中心穴３１３及び先端側突起部１１１を支点として、基端側突起部１１２をガイド溝３１４をスライド移動させることで、クリップ本体部１１及び把持部１２を把持する間接活線工具９の方向を円盤部３０に対して３６０度どの位置へも回転させることができる。
【００３１】
また、図７〜９において、円盤部３０の内側面は、クッション性のある素材で構成されているため、挟持するものに凹凸があっても、滑りにくく、しっかりと挟持することができる。
【００３２】
本実施形態による間接活線工事用クリップ１によれば、次のような効果が奏される。
（１）  間接活線工具９を用いて操作できるとともに、電線Ｗ又は電線Ｗを覆う絶縁シートＳを挟持可能な間接活線工事用クリップ１に、向かい合う一対のクリップ部２と、間接活線工具９により把持されて一対のクリップ部２を開閉可能に操作される把持部１２と、を含んで構成した。一対のクリップ部２は、向かい合う面にそれぞれ設けられる一対の円盤部３０を有し、把持部１２の操作により、一対の円盤部３０を開閉させた。
間接活線工事用クリップ１により挟持することが必要な位置が複数あったり、面積が広くても、帯板状のクリップ本体部１１よりも広い面積を有する円盤部３０で挟持することができるので、少ない数の間接活線工事用クリップ１で作業ができ、時間及びコストの低減が図れる。また、広い面積を有する円盤部３０で挟持する対象をしっかりと挟持することができるため、無理に電線Ｗ等を挟持して間接活線工事用クリップ１が落下することを防止することができ、安全性が向上する。このように、円盤部３０により幅広い形状の対象物を挟持することができるので、柔軟な取り付けや撤去作業が可能となる。
【００３３】
詳細には、クリップ部の向かい合う面に一対の円盤部３０を設けたので、電線Ｗや絶縁シートＳ等の挟持する対象が重くても、面状の円盤部３０で、挟持する対象に力を加える面積を増やし、しっかりと挟持することができる。このため、クリップ部２がずれたり外れたりすることを防止することができる。
また、絶縁シートＳに被覆された電線Ｗを挟持するような場合に、クリップ部２のクリップ本体部１１が電線Ｗに届かない状態でも、円盤部３０が絶縁シートＳの面を、広い面積で挟持することができるので、安定して絶縁シートＳを挟持することができる。
【００３４】
（２）  本実施形態によれば、クリップ部２に、把持部１２から連続して先端側へ延びるクリップ本体部１１を設けた。また、円盤部３０を、クリップ本体部１１に対して回転可能に連結した。これにより、電線Ｗや絶縁シートＳを挟持する角度を自由に変更することができる。特に、高所の作業において、間接活線工具９の絶縁操作棒８０が電線Ｗと平行になってしまう場合に、円盤部３０のガイド溝３１４に基端側突起部１１２をスライドさせることで、電線Ｗを挟持する位置を変更することができる。
【００３５】
（３）  本実施形態によれば、一対のクリップ本体部１１の向かい合う内側面における先端側及び基端側に、それぞれ突出する先端側突起部１１１及び基端側突起部１１２を含んで構成した。また、円盤部３０を、円盤部３０の中心に配置されて先端側突起部１１１が係合し、先端側突起部１１１とともに円盤部３０の回転の支点を構成する中心穴３１３と、円盤部３０における外側面の周縁に沿って形成され、基端側突起部１１２が係合してスライド移動するガイド溝３１４と、を含んで構成した。
円盤部３０の中心穴３１３に係合する先端側突起部１１１を支点として、基端側突起部１１２がガイド溝３１４をスライド移動させることで、クリップ本体部１１を回転させることができる。このため、クリップ本体部１１が円盤部３０に対してずれることがなく、回転の中心が常に同じ位置にある。よって、クリップ部２に安定して挟持する力を込めることができる。
【００３６】
なお、本発明は上記実施形態に限定されるものではなく、本発明の目的を達成できる範囲での変形、改良等は本発明に含まれる。
例えば、上記実施形態では、クリップ部２はクリップ本体部１１と円盤部３０とが別体で、互いに連結されているが、これに限られない。クリップ本体部１１と円盤部３０とは、互いに連続した一つの部材で構成されていてもよい。
【００３７】
また、上記実施形態では、クリップ本体部１１及び円盤部３０は、先端側突起部１１１と中心穴３１３により連結されているが、この構成に限られない。例えば、円盤部３０の中心穴３１３を挟んで一方と他方に円弧状の貫通溝を形成し、クリップ本体部１１の内側面に、この貫通溝内を摺動可能な摺動突起をさらに設けて円盤部の回転を案内させるようにしてもよい。摺動突起が貫通溝内を摺動するように構成することで、クリップ本体部１１よりも幅が広く大きな面積の円盤部３０が、クリップ本体部１１から離間するように撓んだり、ガタつくことを防止することができる。
【符号の説明】
【００３８】
１      間接活線工事用クリップ
２      クリップ部
９      間接活線工具
１１    クリップ本体部
１２    把持部
３０    円盤部
１１１  先端側突起部
１１２  基端側突起部
３１３  中心穴
３１４  ガイド溝
Ｗ      電線
Ｓ      絶縁シート
【図１】
2018011472.tif 000003
【図２】
2018011472.tif 000004
【図３】
2018011472.tif 000005
【図４】
2018011472.tif 000006
【図５】
2018011472.tif 000007
【図６】
2018011472.tif 000008
【図７】
2018011472.tif 000009
【図８】
2018011472.tif 000010
【図９】
2018011472.tif 000011